(57)【特許請求の範囲】
【請求項１】
互いにアジマス角の異なる一対の記録ヘッドにより、１フレームのビデオ信号を２ｍ本（ただし、ｍは１以上の整数）の斜めのトラックとし、かつ１フレームごとに、１フレームを構成するデータを隣接トラック間で互いに入れ替えて記録したトラックパターンを再生するビデオ信号再生装置において、回転ドラムの１８０°対向した位置に設けられた互いにアジマス角の異なる一対の再生ヘッドを備えると共に、前記磁気テープの走行速度を記録時のｍ×ｎ±０．２５倍又はｍ×ｎ±０．１２５倍（ただし、ｎは±１，±３，±５，…）に設定することを特徴とするビデオ信号再生装置。
【請求項２】
データ読取率に応じて倍速比の小数部分を選択することを特徴とする請求項１記載のビデオ信号再生装置。
【請求項３】
ｍが５又は６のいずれか一方である請求項１記載のビデオ信号再生装置。
【請求項４】
記録するビデオ信号がＮＴＳＣ信号であり、ｍが５である請求項２記載のビデオ信号再生装置。
【請求項５】
記録するビデオ信号がＰＡＬ信号であり、ｍが６である請求項２記載のビデオ信号再生装置。
【発明の詳細な説明】
【０００１】
【産業上の利用分野】
本発明は、ビデオ信号再生装置、特に１フレームのビデオ信号を多数のトラックに分割して記録したトラックパターンの変速再生を行うビデオ信号再生装置に関するものである。
【０００２】
【従来の技術】
１フレームのビデオ信号を複数のトラックに分割して記録再生するビデオ信号記録再生装置は既知である。例えば、８ミリＶＴＲにおいては１フレームを２本のトラックに分割しており、Ｄ−２方式では１２本のトラックに分割している。また、現在提案されている家庭用のディジタルＶＴＲでは、１０本又は１２本に分割している。
【０００３】
【発明が解決しようとする課題】
このように１フレームのビデオ信号を複数のトラックに分割して記録したトラックパターンを変速再生すると、磁気ヘッドの各走査ごとに多数のトラックを跨いで走査するため、各トラックの一部のデータしか再生することができなかった。そのため、再生された画像は各トラックの再生データを単に合成したものであり、非常に不自然で見にくいものであった。
【０００４】
本発明は、このような問題点を解決するためになされたもので、１フレームのビデオ信号を複数のトラックに分割して記録したトラックパターンを再生するビデオ信号再生装置において、再生ヘッドの構成と磁気テープの走行速度を規定することにより、変速再生時に自然で見やすい画像を再生できるビデオ信号再生装置的を提供することを目的とする。
【０００５】
【課題を解決するための手段】
前記問題点を解決するために、本発明は、互いにアジマス角の異なる一対の記録ヘッドにより、１フレームのビデオ信号を２ｍ本（ただし、ｍは１以上の整数）の斜めのトラックとし、かつフレームごとに、１フレームを構成するデータを隣接トラック間で互いに入れ替えて記録したトラックパターンを再生するビデオ信号再生装置において、回転ドラムの１８０°対向した位置に設けられた互いにアジマス角の異なる一対の再生ヘッドを備えると共に、磁気テープの走行速度を記録時のｍ×ｎ±０．２５倍ｍ×ｎ±０．１２５倍（ただし、ｎは±１，±３，±５，…）に設定することを特徴とするものである。
【０００８】
ここで、倍速比の小数部分、すなわち０．２５又は０．１２５はデータ読取率に応じて選択する。例えば、データ読取率が５０パーセント以上の場合は０．２５を選択してｍ×ｎ±０．２５倍に設定し、５０パーセントより小さい場合は０．１２５を選択してｍ×ｎ±０．１２５倍に設定する。
【０００９】
また、本発明において、例えば記録する信号がＮＴＳＣ信号の場合はｍを５に設定し、ＰＡＬ信号の場合はｍを６に設定する。
【００１０】
【作用】
本発明によれば、互いにアジマス角の異なる再生ヘッドそれぞれを複数回走査して得た再生データをつなぐことにより、自然で見やすい画像を再生することができる。また、データの読取率が小さい場合でも、それに応じて倍速比を設定することにより、再生データをつなぎ、自然で見やすい画像を再生することができる。
【００１１】
【実施例】
以下、本発明の実施例について図面を参照しながら、下記〔１〕〜〔５〕の順で詳細に説明する
〔１〕ビデオ信号記録再生装置のビデオ信号処理系、回転ドラムと磁気ヘッドとの関係及び記録トラックパターン・・・図１〜図４
〔２〕ＮＴＳＣ信号の記録処理等・・・図５〜図１０
〔３〕ＮＴＳＣ信号の変速再生・・・図１２〜図１４
〔４〕ＰＡＬ信号の記録処理等・・・図１５〜図１７
〔５〕ＮＴＳＣ信号の変速再生（データ読取率が低い場合）・・・図１８〜図２０
【００１２】
図１は本発明の実施例によるビデオ信号記録再生装置のビデオ信号処理系の構成を示すブロック図である。
図１において、端子１から入力されたアナログコンポーネントビデオ信号（Ｙ，Ｒ−Ｙ，Ｂ−Ｙ）はＡ／Ｄ変換回路２によりディジタルコンポーネントビデオ信号に変換され、ブロッキンング回路３により水平方向８サンプル、垂直方向８サンプル（以下、８×８単位という）を１つのブロックとするデータにまとめられ、シャフリング及びＹ／Ｃ多重される。この８×８単位のデータはＤＣＴ（離散コサイン変換）回路４により離散コサイン変換され、時間領域のデータが周波数領域のデータに変換される。離散コサイン変換されたデータはエンコーダ５により量子化され、２次元ハフマン符号等による可変長符号化が行われる。この量子化と可変長符号化は所定数のＤＣＴブロック（例、３０ＤＣＴブロック）ごとに固定長となるように制御される。可変長符号化されたデータはフレーミング回路６によりＥＣＣ（Ｅｒｒｏｒ  Ｃｏｒｒｅｃｔｉｏｎ  Ｃｏｄｅ）の積符号構成のパリティが付加できるようにブロック化され、パリティ発生回路７によりパリティが付加され、ＳＹＮＣ，ＩＤ付加回路８により同期符号とＩＤが付加される。そして、チャネルエンコーダ９によりパラレル／シリアル変換及び記録符号への変換が行われ、記録アンプ１０により増幅された後、磁気ヘッド１１により磁気テープ１２に記録される。磁気テープ１２には、１フレーム分のディジタルビデオ信号が複数本（例えばＮＴＳＣ方式では１０本、ＰＡＬ方式では１２本、ＨＤＴＶでは２０本）の斜めのトラックとして記録される。
【００１３】
再生時は、磁気ヘッド１３により磁気テープ１２から再生されたディジタルビデオ信号は、再生アンプ１４により増幅され、イコライザ１５により再生信号波形の等化が行われ、チャネルデコーディング回路１６により記録符号の復号及びシリアル／パラレル変換が行われ、タイムベースコレクタ１７により時間軸補正が行われる。タイムベースコレクタ１７の出力は、ＥＣＣ回路１８により積符号を用いた誤り訂正処理が行われ、デフレーミング回路１９へ供給される。そして、デフレーミング回路１９により可変長符号化されたデータとされ、デコーダ２０により可変長符号の復号及び逆量子化され、逆ＤＣＴ回路２１により逆離散コサイン変換が行われて８×８単位のデータになる。このデータはデブロッキング回路２２によりデシャフリング、Ｙ／Ｃ分離等が行われてディジタルコンポーネントビデオ信号に戻され、Ｄ／Ａ変換回路２３によりアナログコンポーネントビデオ信号に変換されて端子２４から出力される。
【００１４】
図２は本発明の実施例によるビデオ信号記録再生装置の回転ドラムと磁気ヘッドの関係の一例を示す図である。
図２において、アジマス角（ギャップの延長方向の角度）が異なる１対の記録再生ヘッドＡ，Ｂが回転ドラムＤの同じ高さに１８０°間隔で配置されている。そして、このようにヘッドが配置された回転ドラムＤに対して磁気テープ（図示せず）がほぼ１８０°の角度にわたって巻付けられ、矢印Ｐの方向ヘ回転する回転ドラムＤの回転方向から僅かに傾斜した方向に走行する前記磁気テープに対して記録再生ヘッドＡ，Ｂにより交互に斜めのトラックが形成される。
【００１５】
図３は図２に示されている記録再生ヘッドが形成したトラックのパターンを示す図である。
図の左の方向ヘ走行する磁気テープＭＴに対して図２の記録再生ヘッドＡ，Ｂが図の斜め左上の方向ヘ走査することにより、トラックＴ０  ，Ｔ１，Ｔ２・・・Ｔ９・・・が形成される。トラックＴ０，Ｔ２・・・は記録再生ヘッドＡにより形成されたものであり、トラックＴ１，Ｔ３  ・・・は記録再生ヘッドＢにより形成されたものである。そして、図示されているように、ＮＴＳＣ方式のテレビジョン信号を記録する場合、１フレームが１０本のトラックに分割して記録される。
【００１６】
図４は本発明の実施例によるビデオ信号記録再生装置の回転ドラムと磁気ヘッドの関係の他の一例を示す図である。
図４において、アジマス角が異なる１対の記録再生ヘッドＡ，Ｂが回転ドラムＤの近接した位置に所定の段差Ｄｓを保持して配置されている。そして、このようにヘッドが配置された回転ドラムＤに対して磁気テープ（図示せず）がほぼ１８０°の角度にわたって巻付けられ、矢印Ｐの方向へ回転する回転ドラムＤの回転方向から僅かに傾斜した方向へ走行する前記磁気テープに対して記録再生へッドＡ，Ｂにより同時に２本の斜めのトラックが形成される。この時、記録再生ヘッドＡ，Ｂに同時に記録信号が供給されるように記録信号のタイミングを調整することが必要になる。また、この場合のトラックピッチＴｐは段差Ｄｓと等しくなる。
【００１７】
まず、ＮＴＳＣ信号を４：１：１のコンポーネント信号として記録する場合の実施例の動作を説明する。
図５はブロッキング動作の説明図である。
ＮＴＳＣ信号を４：１：１のコンポーネント信号として記録する場合、Ｙ信号については、図５（ａ）に示されているように、１フレームあたり水平方向７２０サンプル、垂直方向４８０サンプルのデータが処理されるので、８×８単位のブロックが水平方向に９０個、垂直方向に６０個並ぶことになる。
【００１８】
Ｒ−Ｙ信号及びＢ−Ｙ信号については、図５（ｂ）に示されているように、それぞれ１フレームあたり水平方向１８０サンプル、垂直方向４８０サンプルのデータが処理されるので、８×８単位のブロックが水平方向に２２．５個（図における２３個目のブロックである１−２３、２−２３〜６０−２３は４×８単位）、垂直方向に６０個並ぶことになる。
【００１９】
そして、図５（ｃ）に示されているように、Ｙ信号のブロック４個とＲ−Ｙ信号及びＢ−Ｙ信号のブロック１個ずつ、計６個のブロック（以下、これをマクロブロックと呼び、ＭＢと略す）を単位としてシャフリングが行われる（詳細は後述）。
【００２０】
図６はフレーミング、パリティ付加、及びＳＹＮＣ，ＩＤ付加動作の説明図である。
ブロッキング回路４により８×８単位にブロック化されたＹ信号、Ｒ−Ｙ信号及びＢ−Ｙ信号は、それぞれＤＣＴ回路４により離散コサイン変換され、エンコーダ５により量子化され、２次元ハフマン符号等による可変長符号化が行われる。
【００２１】
フレーミング回路６は、３０ＤＣＴブロック、すなわち５ＭＢごとに固定長になるように量子化及び可変長符号化されたデータを、図６（ａ）に示されているようにブロック化する。なお、図６（ａ）中の数字はデータのバイト数である。また、図示されていないが、Ｙ信号の１４バイト、Ｃ信号の９バイトの中にはＤＣＴブロックの動き情報及び高周波成分の量を示す情報が含まれている。同様に、図示されていないが、ブロックの左端にはエンコーダ５における量子化情報が付加されている。
【００２２】
パリティ発生回路７は、図６（ｂ）に示されているように、図６（ａ）に示されているブロックの右端に水平パリティＣ１を付加し、かつこのブロックを縦に所定の個数（例、９個、２７個）並べたデータに対して垂直パリティＣ２を付加し、積符号のパリティを構成する。
【００２３】
ＳＹＮＣ，ＩＤ付加回路８は、図６（ｂ）に示されているように、このブロックの左端にＳＹＮＣ（同期符号）とＩＤを付加する。
【００２４】
図７は１フレームの画面とシャフリングパターンとの関係を示す図である。
図５の説明から明らかように、１フレームあたり水平方向２２．５マクロブロック、垂直方向６０マクロブロックとなる。そして、このマクロブロックに対して図７の矢印のように１８個ずつのマクロブロックを選択する。この時、画面の右端は０．５マクロブロックを垂直方向に２個まとめて１マクロブロックとする。このようなパターンで１８個ずつマクロブロックを選択すると、水平方向に５個、垂直方向に１５個のパターンが選択される。
【００２５】
図８は画面上のシャフリングパターンとトラック上のシャフリングパターンとの関係を示す図である。
画面上のシャフリングパターンからトラック上のシャフリングパターンを作成するために、例えば、図７に示されている画面上のシャフリングパターンの左上部の３個のパターンを取り出し、そこに含まれている５４個のマクロブロックに対して、図８（ａ）に示されているように順にＡ０〜Ｂ２６の符号を付ける。次に、この５４個のマクロブロックを図８（ｂ）に示されているように、水平方向９個、垂直方向６個のパターンに並べ換える。このように並べ換えられたマクロブロックは、図８（ｃ）の左上端に番号「０」を付した領域を形成する。
【００２６】
以上の操作を画面全体に施すことにより、図８（ｃ）に示されているように番号が付された水平方向５個、垂直方向６個の領域が形成される。以下、各領域をサブ領域といい、その番号をサブ領域番号という。
【００２７】
図９はトラック上のシャフリングパターンを示す図である。この図において、磁気ヘッドは右から左へ走査し、磁気テープは斜め左下へ走行するので、トラックは順次下から上へ形成される。また、トラックの右端に付されたＡ，Ｂは、アジマスの異なる磁気ヘッド（図２又は図４の記録再生ヘッドＡ，Ｂ）により形成されたトラックであることを示している。
【００２８】
前記したように、１０本のトラックが１フレームを構成する。各トラックは２７個の部分に分割されている。各部分に付されている符号は、サブ領域番号−マクロブロック符号である。例えば、奇数フレームの１番目のトラックの最初の部分に付されている符号「０−Ａ０」は、この部分にサブ領域番号が０であり、かつマクロブロック符号がＡ０であるデータが記録されていることを示している。図８（ｃ）に示されているように、サブ領域番号が０のサブ領域は５個あるので、中央のサブ領域から順次周辺のサブ領域へ向かって右、左、右、左と１個ずつ、計５個のマクロブロックが選択され、「０−Ａ０」が付されている部分に記録される。
【００２９】
以下、図９に示されているパターンで、１トラックあたり２７×５（＝１３５）マクロブロック、１フレーム（＝１０トラック）あたり１３５０マクロブロックのデータが記録される。偶数フレームでは、マクロブロック符号ＡとＢの順序が入れ替わる。
【００３０】
以上説明したシャフリングの特徴を整理すると下記（イ）〜（ハ）のようになる。また、図１０は下記（イ）〜（ロ）を説明する図である。
（イ）画面上の垂直方向に隣接するマクロブロックのデータは隣接するトラックに振り分けられて記録される。
（ロ）奇数フレームで奇数番目のトラックに記録されるマクロブロックのデータは、偶数フレームでは偶数番目のトラックに記録される。
（ハ）画面上で水平方向に並んでいるマクロブロックのデータは、水平方向のほぼ１／５ごとにサブエリア番号に応じてトラックの異なる位置に記録される。
【００３１】
このように、シャフリングした理由は、ヘッドのクロッグやテープのスクラッチに対処するためである。例えば、ヘッドＢがクロッグすると奇数フレームでは偶数番目のトラックのデータ、すなわち符号の頭にＢが付くマクロブロックのデータが再生できなくなるが、偶数フレームではヘッドＡが奇数番目のトラックから、符号の頭にＢが付くマクロブロックのデータを再生するので、補間が可能である。また、テープのスクラッチにより長手方向にエラーが生じても、各トラックの長手方向の同一の位置には画面上の異なる位置のマクロブロックのデータが記録されているので、同様に補間が可能である。
【００３２】
次に、このようにして記録されたトラックを変速再生する場合について説明する。変速再生時には、磁気ヘッドは各記録トラックの一部のみ走査するため、各記録トラックから一部のデータしか得ることができず、１フレームの画像を作成することは困難である。しかしながら、ビデオ信号には相関性があるため、テープ走行速度を特定の値に設定すれば、変速再生時であっても、１フレームの画像を作成することができる。この特定のテープ走行速度は、図２に示されている記録再生ヘッド対（以下、１８０°対向ヘッドという）と図４に示されている記録再生ヘッド対（以下、ダブルアジマスヘッドという）とで異なる値になるので、それぞれについて説明する。
【００３３】
（Ａ）ダブルアジマスヘッド使用時
テープ走行速度＝５ｎ±０．５倍（ただし、ｎは０以外の整数）
このように設定した場合に１フレームの画像が再生可能な理由を、５．５倍速の場合について図１１及び１３を参照しながら説明する。なお、以下の図においてヘッドの入口側のＡ，Ｂは記録トラックのアジマスに対応し、出口側のＡ，Ｂは再生ヘッドのアジマスに対応する。
【００３４】
図１１に示されているように、ダブルアジマスヘッドＡ，Ｂが、まず第１フレームのトラックＴ０，Ｔ１から走査を開始し、トラックＴ４〜Ｔ６で走査を終了した場合、次の走査では第２フレームのトラックＴ１，Ｔ２から走査を開始し、トラックＴ５〜Ｔ７で走査を終了する。図中の横線及び縦線で埋められた領域はヘッドとトラックとの交差部分であって、ここから再生データが得られる。以下、図示されていないが、同様にして第３フレームでは、トラックＴ２，Ｔ３から走査を開始し、トラックＴ６〜Ｔ８で走査を終了する。このように、ヘッドＡ，Ｂは１走査ごとに次のフレームの１トラック右に隣接する位置のトラックを走査する。
【００３５】
このように走査したトラックを１箇所に集めると図１２のようになる。この図から分かるように、各トラックにおいて第１フレームから得られるデータの斜め右下に第２フレームから得られるデータがつながり、さらに第３フレームから得られるデータがつながる。ビデオ信号にはフレーム相関性があるので、このように複数フレームのデータをつなげても再生画像は不自然にはならない。ただし、図９及び図１０に示されているように、奇数フレームと偶数フレームではマクロブロックの順序が入れ替わっているので、奇数フレームと偶数フレームではヘッドＡの再生データとヘッドＢの再生データを入れ替えてつなげることが必要である。また、隣接する２本のトラックに振り分けられて記録された画面上の連続するデータを隣接する２本のトラックから得ることができる。
【００３６】
４．５倍速の場合も同様であるが、この場合ヘッドＡ，Ｂが走査するトラックが１走査ごとに左にずれるので、斜め左上にデータがつながることになる。また、１０．５倍速等、速度を高くしていくと、第１フレームの次の再生トラックは第３フレーム等になる。さらに、−４．５倍速の場合はヘッドＡ，Ｂが走査するトラックが１走査ごとに右にずれ、−５．５倍速の場合は１走査ごとに左にずれる。
【００３７】
（Ｂ）１８０°対向ヘッド使用時
テープ走行速度＝５ｎ±０．２５倍（ただし、ｎは±１，±３，±５，…）
このように設定した場合に１フレームの画像が再生可能な理由を、５．２５倍速の場合について図１２及び１３を参照しながら説明する。
【００３８】
図１３に示されているように、ヘッドＡが、まず第１フレームのトラックＴ０から走査を開始し、トラックＴ４，Ｔ５で走査を終了した場合、次の走査ではヘッドＢが第１フレームのトラックＴ５，Ｔ６から走査を開始し、第１フレームのトラックＴ９と第２フレームのトラックＴ０で走査を終了する。図中の横線で埋められた領域はヘッドとトラックとの交差部分であって、ここから再生データが得られる。次に、ヘッドＡが第２フレームのトラックＴ０，Ｔ１から走査を開始し、トラックＴ４，Ｔ５で走査を終了する。次は、ヘッドＢが第２フレームのトラックＴ６から走査を開始し、第３フレームのトラックＴ０，Ｔ１で走査を終了する。図中の縦線で埋められた領域はヘッドとトラックとの交差部分であって、ここから再生データが得られる。以下同様に、次の走査では、ヘッドＡが第３フレームのトラックＴ１から走査を開始し、トラックＴ５，Ｔ６で走査を終了する。このように、ヘッドＡ，Ｂは３走査ごとに１トラック右に隣接するトラックを走査する。
【００３９】
このように走査したトラックを１箇所に集めると図１４のようになる。ここでは、ヘッドＡについてのみ示したが、ヘッドＢについても同様である。図１３を参照して説明したように、ヘッドＡ，Ｂは３走査ごとに１トラック右に隣接するトラックを走査するので、第１フレームから得られるデータの斜め右下に第３フレームから得られるデータがつながり、さらにその斜め右下に第５フレームから得られるデータがつながる。図示されていないが、さらに第７フレーム等から得られるデータがつながる。同様に、第２フレームから得られるデータの斜め右下に第４フレームから得られるデータがつながり、さらに第６フレーム等から得られるデータがつながる。また、ダブルアジマスヘッド使用時と同様、隣接する２本のトラックに振り分けられて記録された画面上の連続するデータを隣接する２本のトラックから得ることができる。
【００４０】
４．７５倍速の場合も同様であるが、この場合磁気ヘッドが走査するトラックが２フレームごとに左にずれるので、斜め左上にデータがつながることになる。なお、ｎが偶数の場合、例えば１０．２５倍速の場合、ヘッドＡ，Ｂともに３走査ごとに同一位置のトラックを走査するので、再生データをつなぐことができない。これに対して、ｎが奇数の場合には、ヘッドＡ，Ｂともに３走査ごとに１本隣のトラックを走査するので、再生データをつなぐことができる。
【００４１】
以上、ＮＴＳＣ信号を４：１：１のコンポーネント信号として記録する場合の実施例を説明した。次に、ＰＡＬ信号を４：２：０のコンポーネント信号として記録する実施例について、ＮＴＳＣ方式と異なる点について簡単に説明する。
【００４２】
図１５はブロッキング動作の説明図である。
ＰＡＬ信号を４：２：０のコンポーネント信号として記録する場合、Ｙ信号については、図１５（ａ）に示されているように、１フレームあたり水平方向７２０サンプル、垂直方向５７６サンプルのデータが処理されるので、８×８単位のブロックが水平方向に９０個、垂直方向に７２個並ぶことになる。
【００４３】
Ｒ−Ｙ信号及びＢ−Ｙ信号については、図１５（ｂ）に示されているように、それぞれ１フレームあたり水平方向３６０サンプル、垂直方向２８８サンプルのデータが処理されるので、８×８単位のブロックが水平方向に４５個、垂直方向に３６個並ぶことになる。
【００４４】
そして、図１５（ｃ）に示されているように、Ｙ信号のブロック４個とＲ−Ｙ信号及びＢ−Ｙ信号のブロック１個ずつ、計６個のブロックでマクロブロックを構成する。
【００４５】
図１６はシャフリングパターン動作の説明図である。
図１５の説明から明らかように、１フレームあたり水平方向４５マクロブロック、垂直方向３６マクロブロックとなる。そして、このマクロブロックに対して、図１６（ａ）の矢印のように、水平方向９マクロブロック、垂直方向２マクロブロック、計１８個ずつのマクロブロックを選択する。このようなパターンで１８個ずつマクロブロックを選択すると、水平方向に５個、垂直方向に１８個のパターンが選択される。
【００４６】
画面上のシャフリングパターンからトラック上のシャフリングパターンを作成するために、例えば、図１６（ａ）に示されている画面上のシャフリングパターンの左上部の３個のパターンを取り出し、そこに含まれている５４個のマクロブックに対して、図１６（ｂ）に示されているように順にＡ０〜Ｂ２６の符号を付ける。この５４個のマクロブロックは、図１６（ｃ）の左上端にサブ領域番号「０」を付したサブ領域を形成する。以上の操作を画面全体に施すことにより、図１６（ｃ）に示されているようにサブ領域番号が付された水平方向５個、垂直方向６個のサブ領域が形成される。
【００４７】
図１７はトラック上のシャフリングパターンを示す図である。図９に示されているＮＴＳＣ信号よりもフレームあたり２トラック多くなっており、その２トラックに「サブ領域番号−マクロブロック符号」が「１０−Ａ０」〜「１０−Ａ２６」、「１０−Ｂ０」〜「１０−Ｂ２６」であるデータが記録される点を除けば、ＮＴＳＣ信号の場合と基本的に異なる点はないので、詳細な説明は省略する。
【００４８】
次に、このようにして記録されたトラックを変速再生する場合のテープ走行速度は、
（Ｃ）ダブルアジマスヘッド使用時
テープ走行速度＝６ｎ±０．５倍（ただし、ｎは０以外の整数）
（Ｄ）１８０°対向ヘッド使用時
テープ走行速度＝６ｎ±０．２５倍（ただし、ｎは±１，±３，±５，…）
に設定すればよい。この理由は、ＮＴＳＣ信号の場合の説明から明らかなので、説明は省略する。
【００４９】
以上説明した実施例によれば、変速再生時であっても、複数フレームの再生データをつなぐことにより自然で見やすい画像を得ることができるのであるが、各フレームの再生データが充分得られない場合には、複数フレームの再生データがつながらなくなる可能性がある。以下、この問題点とそれを解決した実施例について図１８〜図２０を参照しながら説明する。
【００５０】
図１８はダブルアジマスヘッドを用いた５．５倍速再生時に、再生データの読取率がほぼ３５％になった場合のデータを１箇所に集めた図である。なお、この図は図１２と対応するが、便宜上トラック幅を太くしてある。ここで、データ読取率が３５％とは、再生ＲＦ検波出力のピーク値から６５％以上のレベルのデータを採用することである。
【００５１】
図１２と比較すれば明らかなように、図１２で再生データを示す横線や縦線で埋められた部分は平行四辺形又は三角形であるが、図１８では平行四辺形又は三角形の中に形成された六角形又は台形になる。したがって、例えば左から３本目のトラックについて見ると、図にａ〜ｅを付した５個の三角形の部分のデータは再生されない。データ読取率が高くなるにしたがって、六角形及び台形がトラック方向へ広がり、５個の三角形の各辺の長さが小さくなる。例えば、データ読取率が５０％になると、ｂとｃを付した三角形及びｄとｅを付した三角形の頂点の１つがヘッドの再生軌跡の境界上で重なる。つまり、データ読取率が５０％になれば、各フレームから得られる再生データをつなぐことができる。逆に、データ読取率が５０％より小さいと、各フレームから得られる再生データをつなぐことができなくなるが、現実には、データ読取率が３０％程度になることも考えられるので、先の実施例では各フレームから得られる再生データをつなぐことができなる恐れがある。
【００５２】
以上は、５．５倍速時を例に説明したが、テープ走行速度＝５ｎ±０．５倍（ただし、ｎは０以外の整数）にした時、ＰＡＬ信号を再生する装置においてテープ走行速度＝６ｎ±０．５倍（ただし、ｎは０以外の整数）にした時について同じである。また、１８０°対向ヘッドを用いた場合、ＮＴＳＣ信号を再生する装置においてテープ走行速度＝５ｎ±０．２５倍（ただし、ｎは±１，±３，±５，…）にした時、ＰＡＬ信号を再生する装置においてテープ走行速度＝５ｎ±０．２５倍（ただし、ｎは±１，±３，±５，…）にした時、つまり前記全ての実施例について同じ問題点がある。
【００５３】
この問題点は、以下のようにして解決することができる。すなわち、ＮＴＳＣ信号を再生する装置においては、倍速比を以下のように設定することにより、理論上データ読取率が２５％に低下するまで再生データをつなぐことができる。
（Ｅ）ダブルアジマスヘッド使用時
テープ走行速度＝５ｎ±０．２５倍（ただし、ｎは０以外の整数）
（Ｆ）１８０°対向ヘッド使用時
テープ走行速度＝５ｎ±０．１２５倍（ただし、ｎは±１，±３，±５，…）
【００５４】
また、ＰＡＬ信号を再生する装置においては、倍速比を以下のように設定することにより、理論上データ読取率が２５％に低下するまで再生データをつなぐことができる。
（Ｇ）ダブルアジマスヘッド使用時
テープ走行速度＝６ｎ±０．２５倍（ただし、ｎは０以外の整数）
（Ｈ）１８０°対向ヘッド使用時
テープ走行速度＝６ｎ±０．１２５倍（ただし、ｎは±１，±３，±５，…）
【００５５】
次に、このように設定した場合に１フレームの画像が再生可能な理由を、ＮＴＳＣ信号を再生する装置において、ダブルアジマスヘッド使用時の５．２５倍速、及び１８０°対向ヘッド使用時の５．１２５倍速について図１９及び図２０を参照しながら説明する。
【００５６】
図１９はダブルアジマスヘッドを使用して５．２５倍速で再生を行い、データ読取率がほぼ３５％である場合に、各フレームから得られるデータを１つに集めた様子を示す。この図のようになる理由は、図１１及び図１２と同様に考えれば明らかなので、簡単に説明しておく。
【００５７】
５．２５倍速で再生を行うと、ヘッドＡ，Ｂは１走査ごとに次のフレームの１／２トラック右にずれた位置を走査する。したがって、第１フレームから得られるデータの右斜め下に第２フレームから得られるデータが一部重複しながらつながり、さらに第３〜第５フレームまで順次重複しながらつながる。重複した再生データは時間的に遅く再生されたデータを採用すればよいが、時間的に遅く再生されたデータに誤りがあって使えないこともあり得るので、先に再生されたデータも使用可能に構成しておいてもよい。
【００５８】
図２０は１８０°対向ヘッドを使用して５．１２５倍速で再生を行い、データ読取率がほぼ３５％である場合に、各フレームから得られるデータを１つに集めた様子を示す。この図のようになる理由についても、図１３及び図１４と同様に考えれば明らかなので、簡単に説明しておく。
【００５９】
５．１２５倍速で再生を行うと、ヘッドＡ，Ｂは３走査ごとに次のフレームの１／２トラック右にずれた位置を走査する。したがって、第１フレームから得られるデータの右斜め下に第３フレームから得られるデータが一部重複しながらつながり、さらに第５フレーム、第７フレームのデータが順次重複しながらつながる（図は第５フレームまで記載）。同様に、第２フレームから得られるデータの右斜め下に第４フレームから得られるデータが一部重複しながらつながり、さらに第６フレーム、第８フレームのデータが順次重複しながらつながる（図は第４フレームまで記載）。
【００６０】
以上、５．２５倍速再生時及び５．１２５倍速再生時について、説明したが、前記（Ｅ）〜（Ｈ）に記載した条件のもとで同様の結果になることは明らかである。
【００６１】
また、本発明は、一般に１フレームのビデオ信号を２ｍ本（ｍは１以上の整数）のトラックとして磁気テープに記録したトラックパターンの再生に適用することができる。
【００６２】
すなわち、ダブルアジマスヘッドを用いて再生を行う場合は、テープの走行速度を記録時のｍ×ｎ±０．５倍又はｍ×ｎ±０．２５倍（ただしｎは０以外の整数）に設定する。ここで、倍速比の小数部分、すなわち０．５又は０．２５はデータ読取率に応じて選択する。例えば、データ読取率が５０％以上の場合は０．５を選択してｍ×ｎ±０．５倍に設定し、５０％より小さい場合は０．２５を選択してｍ×ｎ±０．２５倍に設定する。
【００６３】
また、１８０°対向ヘッドを用いて再生を行う場合は、テープの走行速度を記録時のｍ×ｎ±０．２５倍又はｍ×ｎ±０．１２５倍（ただしｎは±１，±３，±５，…）に設定する。倍速比の小数部分の選択条件はダブルアジマスヘッドを用いて再生を行う場合と同じである。
【００６４】
さらに、本発明は、奇数フレームと偶数フレームとのデータの順序を入れ替えずに記録したトラックパターンを再生するように構成することもできる。この場合、ダブルアジマスヘッドを用いればヘッドＡの再生データとヘッドＢの再生データを入れ替えずにつなぐことができる。１８０°対向ヘッドを用いて再生する場合には、テープの走行速度を記録時のｍ×ｎ±０．５倍（ただしｎは０以外の整数）に設定しても再生データをつなぐことができる。
【００６５】
【発明の効果】
以上、詳細に説明したように、本発明によれば、１フレームのビデオ信号が複数のトラックに分割して記録されたトラックパターンを変速再生した場合でも、自然で見やすい画像を再生できる。
【００６６】
また、データ読取率が低い場合でも、それに応じて倍速比を変えることにより自然で見やすい画像を再生できる。
【図面の簡単な説明】
【図１】本発明の実施例によるビデオ信号記録再生装置のビデオ信号処理系の構成を示すブロック図である。
【図２】本発明の実施例によるビデオ信号記録再生装置の回転ドラムと磁気ヘッドの関係の一例を示す図である。
【図３】図２に示されている記録再生ヘッドが形成したトラックのパターンを示す図である。
【図４】本発明の実施例によるビデオ信号記録再生装置の回転ドラムと磁気ヘッドの関係の他の一例を示す図である。
【図５】ＮＴＳＣ信号を４：１：１のコンポーネント信号として記録する場合のブロッキング動作の説明図である。
【図６】ＮＴＳＣ信号を４：１：１のコンポーネント信号として記録する場合のフレーミング、パリティ付加、及びＳＹＮＣ，ＩＤ付加動作の説明図である。
【図７】ＮＴＳＣ信号を４：１：１のコンポーネント信号として記録する場合の画面とシャフリングパターンとの関係を示す図である。
【図８】ＮＴＳＣ信号を４：１：１のコンポーネント信号として記録する場合の画面上のシャフリングパターンとトラック上のシャフリングパターンとの関係を示す図である。
【図９】ＮＴＳＣ信号を４：１：１のコンポーネント信号として記録する場合のトラック上のシャフリングパターンを示す図である。
【図１０】ＮＴＳＣ信号を４：１：１のコンポーネント信号として記録する場合の画面上のデータとトラックとの関係を示す図である。
【図１１】ダブルアジマスヘッドを用いて５．５倍速で再生を行う時の記録トラックと再生ヘッドの軌跡を示す図である。
【図１２】図１１における再生データをつなぐ処理の説明図である。
【図１３】１８０°対向ヘッドを用いて５．２５倍速で再生を行う時の記録トラックと再生ヘッドの軌跡を示す図である。
【図１４】図１３における再生データをつなぐ処理の説明図である。
【図１５】ＰＡＬ信号を４：２：０のコンポーネント信号として記録する場合のブロッキング動作の説明図である。
【図１６】ＰＡＬ信号を４：２：０のコンポーネント信号として記録する場合のシャフリング動作の説明図である。
【図１７】ＰＡＬ信号を４：２：０のコンポーネント信号として記録する場合のトラック上のシャフリングパターンを示す図である。
【図１８】ダブルアジマスヘッドを用いて５．５倍速で再生を行う時に、データ読取率が低い場合の各フレームの再生データとトラックとの関係を示す図である。
【図１９】ダブルアジマスヘッドを用いて５．２５倍速で再生を行う時の各フレームの再生データとトラックとの関係を示す図である。
【図２０】１８０°対向ヘッドを用いて５．１２５倍速で再生を行う時の各フレームの再生データとトラックとの関係を示す図である。
【符号の説明】
Ａ，Ｂ…磁気ヘッド、Ｄ…回転ドラム、ＭＴ…磁気テープ、Ｔ０〜Ｔ９…記録トラック
【図１】
0003546434.tif 000002
【図２】
0003546434.tif 000003
【図３】
0003546434.tif 000004
【図４】
0003546434.tif 000005
【図５】
0003546434.tif 000006
【図６】
0003546434.tif 000007
【図７】
0003546434.tif 000008
【図８】
0003546434.tif 000009
【図９】
0003546434.tif 000010
【図１０】
0003546434.tif 000011
【図１１】
0003546434.tif 000012
【図１２】
0003546434.tif 000013
【図１３】
0003546434.tif 000014
【図１４】
0003546434.tif 000015
【図１５】
0003546434.tif 000016
【図１６】
0003546434.tif 000017
【図１７】
0003546434.tif 000018
【図１８】
0003546434.tif 000019
【図１９】
0003546434.tif 000020
【図２０】
0003546434.tif 000021